(57)【要約】【課題】合焦点が含まれている範囲を高い確率で最初に表示する画像表示装置、画像表示方法及び画像表示プログラムを提供する。【解決手段】ディジタル画像の拡大表示要求を受け付ける要求受付手段と、前記ディジタル画像上の合焦点を特定する合焦点特定手段と、前記ディジタル画像上の顔領域を特定する顔領域特定手段と、前記要求受付手段で前記拡大表示要求を受け付けると、前記合焦点特定手段で合焦点を特定できた場合は当該合焦点が含まれている範囲を最初に拡大表示し、前記合焦点特定手段で合焦点を特定できず前記顔領域特定手段で顔領域を特定できた場合は当該顔領域が含まれている範囲を最初に拡大表示する拡大表示手段と、を備える画像表示装置。【選択図】図１
2007274269.tif 000002
【特許請求の範囲】
【請求項１】
ディジタル画像の拡大表示要求を受け付ける要求受付手段と、
前記ディジタル画像上の合焦点を特定する合焦点特定手段と、
前記ディジタル画像上の顔領域を特定する顔領域特定手段と、
前記要求受付手段で前記拡大表示要求を受け付けると、前記合焦点特定手段で合焦点を特定できた場合は当該合焦点が含まれている範囲を最初に拡大表示し、前記合焦点特定手段で合焦点を特定できず前記顔領域特定手段で顔領域を特定できた場合は当該顔領域が含まれている範囲を最初に拡大表示する拡大表示手段と、
を備える画像表示装置。
【請求項２】
前記ディジタル画像はＥＸＩＦファイルに格納されており、
前記合焦点特定手段は前記ＥＸＩＦファイルから合焦点情報を取得して合焦点を特定する請求項１に記載の画像表示装置。
【請求項３】
ディジタル画像の拡大表示要求を受け付ける要求受付手段と、
前記ディジタル画像上の顔領域を特定する顔領域特定手段と、
前記要求受付手段で前記拡大表示要求を受け付けると、前記顔領域特定手段で顔領域を特定できた場合は当該顔領域が含まれている範囲を最初に拡大表示する拡大表示手段と、
を備える画像表示装置。
【請求項４】
前記要求受付手段は、一操作で前記拡大表示要求を受け付ける請求項１、２又は３に記載の画像表示装置。
【請求項５】
前記拡大表示手段は、印刷媒体のサイズを取得する取得手段を有し、前記ディジタル画像のサイズが前記取得手段で取得した印刷媒体のサイズに基づく印刷解像度と同じサイズになる倍率で前記範囲を変倍して拡大表示する請求項１〜４のいずれか一項に記載の画像表示装置。
【請求項６】
前記拡大表示手段は、前記範囲を拡大表示する倍率をユーザが指定するための倍率指定手段を有し、前記範囲を前記倍率指定手段で指定された倍率で変倍して拡大表示する請求項１〜５のいずれか一項に記載の画像表示装置。
【請求項７】
要求受付手段がディジタル画像の拡大表示要求を受け付ける要求受付段階と、
合焦点特定手段が前記ディジタル画像上の合焦点を特定する合焦点特定段階と、
顔領域特定手段が前記ディジタル画像上の顔領域を特定する顔領域特定段階と、
前記要求受付手段で前記拡大表示要求を受け付けると、拡大表示手段が、前記合焦点特定手段で合焦点を特定できた場合は当該合焦点が含まれている範囲を最初に拡大表示し、前記合焦点特定手段で合焦点を特定できず前記顔領域特定手段で顔領域を特定できた場合は当該顔領域が含まれている範囲を最初に拡大表示する拡大表示段階と、
を含む画像表示方法。
【請求項８】
ディジタル画像の拡大表示要求を受け付ける要求受付手段と、
前記ディジタル画像上の合焦点を特定する合焦点特定手段と、
前記ディジタル画像上の顔領域を特定する顔領域特定手段と、
前記要求受付手段で前記拡大表示要求を受け付けると、前記合焦点特定手段で合焦点を特定できた場合は当該合焦点が含まれている範囲を最初に拡大表示し、前記合焦点特定手段で合焦点を特定できず前記顔領域特定手段で顔領域を特定できた場合は当該顔領域が含まれている範囲を最初に拡大表示する拡大表示手段としてコンピュータを記憶させる画像表示プログラム。
【発明の詳細な説明】
【技術分野】
【０００１】
本発明は、画像表示装置、画像表示方法及び画像表示プログラムに関する。
【背景技術】
【０００２】
従来、ディジタル画像の拡大表示において、合焦点が含まれている範囲を最初に拡大表示するデジタルカメラが知られている（例えば、特許文献１参照。）。特許文献１に記載のデジタルカメラは、撮像時に指定した合焦指定表示を含むエリアを合焦点が含まれている範囲として拡大表示している。ディジタル画像を拡大表示する目的の一つにはディジタル画像の合焦状態の確認、言い換えるとピントが合っているか否かの確認があり、合焦指定表示を含むエリアを最初に拡大表示するようにすると、合焦状態の確認が容易になる。
【０００３】
また、ディジタルスチルカメラ（ＤＳＣ）で撮像したディジタル画像の標準的なファイル形式であるＥＸＩＦ形式では、撮像時の合焦点を示す合焦点情報を格納することができる。従って、ディジタル画像がＥＸＩＦ形式のファイルに格納されている場合はファイルから合焦点情報を取得して合焦点を特定することもできる。
【０００４】
しかしながら、ディジタル画像を格納しているファイルに必ずしも常に合焦点情報が含まれているとは限らない。このため、ファイルに合焦点情報が含まれていない場合は合焦点が含まれている範囲を最初に拡大表示できないという問題がある。
【０００５】
【特許文献１】特開２００３−１２５２６９号公報
【発明の開示】
【発明が解決しようとする課題】
【０００６】
本発明は、上述の問題を解決するために創作されたものであって、合焦点が含まれている範囲を高い確率で最初に拡大表示する画像表示装置、画像表示方法及び画像表示プログラムを提供することを目的とする。
【課題を解決するための手段】
【０００７】
（１）上記目的を達成するための画像表示装置は、ディジタル画像の拡大表示要求を受け付ける要求受付手段と、前記ディジタル画像上の合焦点を特定する合焦点特定手段と、前記ディジタル画像上の顔領域を特定する顔領域特定手段と、前記要求受付手段で前記拡大表示要求を受け付けると、前記合焦点特定手段で合焦点を特定できた場合は当該合焦点が含まれている範囲を最初に拡大表示し、前記合焦点特定手段で合焦点を特定できず前記顔領域特定手段で顔領域を特定できた場合は当該顔領域が含まれている範囲を最初に拡大表示する拡大表示手段と、を備える。
一般に人物を撮像する場合は顔に焦点を合わせて撮像されることが多い。従って、合焦点特定手段で合焦点を特定できなかったとしても、顔領域特定手段で顔領域を特定できた場合は顔領域が含まれている範囲を最初に拡大表示することにより、合焦点が含まれている範囲を高い確率で最初に拡大表示できる。
【０００８】
（２）前記ディジタル画像はＥＸＩＦファイルに格納されており、前記合焦点特定手段は前記ＥＸＩＦファイルから合焦点情報を取得して合焦点を特定してもよい。
本発明によると、ＥＸＩＦファイルから合焦点情報を取得することにより、合焦点をより確実に特定できる。
【０００９】
（３）上記目的を達成するための画像表示装置は、ディジタル画像の拡大表示要求を受け付ける要求受付手段と、前記ディジタル画像上の顔領域を特定する顔領域特定手段と、前記要求受付手段で前記拡大表示要求を受け付けると、前記顔領域特定手段で顔領域を特定できた場合は当該顔領域が含まれている範囲を最初に拡大表示する拡大表示手段と、を備える。
一般に人物を撮像する場合は顔に焦点を合わせて撮像されることが多い。従って、顔領域特定手段で顔領域を特定できた場合は顔領域が含まれている範囲を最初に拡大表示することにより、合焦点が含まれている範囲を高い確率で最初に拡大表示できる。
【００１０】
（４）前記要求受付手段は、一操作で前記拡大表示要求を受け付けてもよい。
本発明によると、合焦点が含まれている範囲を一操作で最初に表示させることができるので、合焦状態の確認がより容易になる。
【００１１】
（５）前記拡大表示手段は、印刷媒体のサイズを取得する取得手段を有し、前記ディジタル画像のサイズが前記取得手段で取得した印刷媒体のサイズに基づく印刷解像度と同じサイズになる倍率で前記範囲を変倍して拡大表示してもよい。
本発明によると、印刷した場合の画質により近い画質でディジタル画像を表示できるので、印刷した場合の画質を印刷前により正確に把握できる。
【００１２】
（６）前記拡大表示手段は、前記範囲を拡大表示する倍率をユーザが指定するための倍率指定手段を有し、前記範囲を前記倍率指定手段で指定された倍率で変倍して拡大表示してもよい。
本発明によると、ユーザはディジタル画像を所望の倍率で拡大表示させることができる。
【００１３】
（７）上記目的を達成するための画像表示方法は、要求受付手段がディジタル画像の拡大表示要求を受け付ける要求受付段階と、合焦点特定手段が前記ディジタル画像上の合焦点を特定する合焦点特定段階と、顔領域特定手段が前記ディジタル画像上の顔領域を特定する顔領域特定段階と、前記要求受付手段で前記拡大表示要求を受け付けると、拡大表示手段が、前記合焦点特定手段で合焦点を特定できた場合は当該合焦点が含まれている範囲を最初に拡大表示し、前記合焦点特定手段で合焦点を特定できず前記顔領域特定手段で顔領域を特定できた場合は当該顔領域が含まれている範囲を最初に拡大表示する拡大表示段階と、を含む。
本発明によると、合焦点が含まれている範囲を高い確率で最初に拡大表示できる。
【００１４】
（８）上記目的を達成するための画像表示プログラムは、ディジタル画像の拡大表示要求を受け付ける要求受付手段と、前記ディジタル画像上の合焦点を特定する合焦点特定手段と、前記ディジタル画像上の顔領域を特定する顔領域特定手段と、前記要求受付手段で前記拡大表示要求を受け付けると、前記合焦点特定手段で合焦点を特定できた場合は当該合焦点が含まれている範囲を最初に拡大表示し、前記合焦点特定手段で合焦点を特定できず前記顔領域特定手段で顔領域を特定できた場合は当該顔領域が含まれている範囲を最初に拡大表示する拡大表示手段としてコンピュータを記憶させる。
本発明によると、合焦点が含まれている範囲を高い確率で最初に拡大表示できる。
【００１５】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。また、請求項に記載された方法の各動作の順序は、技術上の阻害要因がない限り、記載順に限定されるものではなく、どのような順番で実行されてもよく、また同時に実行されてもよい。
【発明を実施するための最良の形態】
【００１６】
以下、本発明の実施の形態を実施例に基づいて説明する。
図２（Ａ）は本発明の一実施例に係る画像表示装置としてのフォトビューワ１０を示す模式図であり、図２（Ｂ）はフォトビューワ１０のハードウェア構成を示すブロック図である。フォトビューワ１０は、ＣＰＵ１１、ＲＯＭ１２、ＲＡＭ１３、インタフェース部１４、表示部１５、操作部１６、外部記憶部１７、および外部メモリコントローラ１８を備え、それらはバス１９で相互に接続されている。
【００１７】
ＣＰＵ１１は、ＲＯＭ１２や外部記憶部１７に格納されたプログラムを実行してフォトビューワ１０の全体を制御する。また、ＣＰＵ１１は外部記憶部１７に格納された画像表示プログラムを実行することで、要求受付手段、合焦点特定手段、顔領域特定手段、拡大表示手段、取得手段および倍率指定手段としても機能する。ＲＯＭ１２はＣＰＵ１１が動作するために必要なプログラムやデータを予め記憶しているメモリである。ＲＡＭ１３は各種のプログラム、データなどを一時的に記憶するメモリである。
【００１８】
インタフェース部１４は、ＤＳＣ２１、ＰＣ、カメラ付携帯型電話端末などの外部システムと通信するためのＵＳＢコントローラ、ＵＳＢコネクタなどを備える。通信規格はＵＳＢに限らず、ＩＥＥＥ１３９４、赤外線、イーサネット（登録商標）などのいかなる規格でもよい。フォトビューワ１０は例えば外部システムからインタフェース部１４を介してディジタル画像を取得することもできる。
【００１９】
要求受付手段、拡大表示手段、取得手段および倍率指定手段としての表示部１５は、ＬＣＤ（Liquid Crystal Display）１５ａなどのディスプレイ、ディスプレイコントローラなどを備える。ディスプレイコントローラはＣＰＵ１１によって制御され、ディジタル画像やメニューなどの各種の情報をＬＣＤ１５ａに表示する。
【００２０】
要求受付手段、取得手段および倍率指定手段としての操作部１６は、ディジタル画像を拡大表示する拡大表示要求などを入力するための複数の押しボタンや、ディジタル画像の選択、拡大表示されたディジタル画像の表示範囲の切り換え、ＬＣＤ１５ａに表示されている各種のメニューの操作などを行うための４ウェイボタンなどを備えている。ユーザは操作部１６を操作することにより、印刷媒体のサイズの指定やディジタル画像を変倍する倍率の指定などを行うこともできる。
【００２１】
外部記憶部１７は、ハードディスクやハードディスクコントローラなどを備える。外部記憶部１７には、オペレーティングシステム（ＯＳ）、画像表示プログラム、ＥＸＩＦファイル、各種のデータなどが格納されている。これらのプログラムや各種のデータは、リムーバブルメモリ２０から読み出して入力してもよいし、インタフェース部１４を介して入力するようにしてもよい。また、ネットワークに接続可能な通信手段を備え、ネットワーク上のサーバからダウンロードして入力してもよい。
【００２２】
外部メモリコントローラ１８は、カードスロットから挿入されたリムーバブルメモリ２０に接続される。リムーバブルメモリ２０に格納されたデータは外部メモリコントローラ１８によって読み出され、ＲＡＭ１３に転送される。リムーバブルメモリ２０は電源が供給されなくても記憶内容が失われない脱着自在のフラッシュメモリなどである。フォトビューワ１０は例えばディジタルスチルカメラ（ＤＳＣ）２１で被写体を撮像して生成されたディジタル画像をリムーバブルメモリ２０を介してＤＳＣ２１から取得することもできる。
【００２３】
次に、ディジタル画像上の合焦点の特定について説明する。ここではディジタル画像を表すディジタル画像データが格納されているＥＸＩＦファイルから合焦点情報を取得して特定する場合を例に説明する。
図３は、ＥＸＩＦファイルの構造を簡略化して示す模式図である。ＥＸＩＦファイルはＤＳＣ２１で生成したディジタル画像データを格納するファイルの標準的な形式であり、ディジタル画像を表すディジタル画像データを格納する画像データ領域、当該ディジタル画像のサムネイル画像を表すサムネイル画像データを格納するサムネイル画像データ領域、撮像時の各種の情報を格納する付属情報領域などで構成される。撮像時の各種の情報とは、具体的には例えば撮影日時、露出、シャッタースピード、照明の種類、合焦点を示す合焦点情報などである。合焦点情報はＤＳＣ２１で被写体を撮像する際に焦点を合わせたポイントをディジタル画像上の座標で示す情報である。
図示するようにＥＸＩＦファイルから合焦点情報を取得することにより、ＥＸＩＦファイルに格納されているディジタル画像データが表すディジタル画像上の合焦点を特定できる。
【００２４】
次に、ディジタル画像の拡大表示について説明する。
図１は、拡大表示の一例を示す模式図である。第１実施例では、拡大表示要求を受け付けると最初に元のディジタル画像全体をＬＣＤ１５ａの表示領域に納まるサイズより大きい「所定のサイズ」に変倍し、変倍したディジタル画像をＬＣＤ１５ａの表示領域に納まる大きさの複数の範囲に分割して表示する。ここでＬＣＤ１５ａの表示領域に納まる大きさとは、縦横の画素数がそれぞれＬＣＤ１５ａの縦横の画素数と等しいか又は少ない大きさのことをいう。
【００２５】
また、第１実施例では、上述した「所定のサイズ」を印刷媒体のサイズに基づいて決定する場合を例に説明する。例えば印刷媒体のサイズが「Ｌ判」のとき、印刷対象のディジタル画像は縦横（１９２０、１２８０）の印刷解像度で印刷されるとする。この場合、印刷解像度と同サイズである縦横（１９２０、１２８０）が「所定のサイズ」として決定される。印刷媒体のサイズとしてはデフォルト値として予め設定されているものを用いてもよいし、拡大表示要求を受け付けた後に問い合わせを行ってユーザに指定させたものを用いてもよい。また、ＤＰＯＦファイルなどによってディジタル画像に個別に印刷媒体のサイズが設定されている場合は、表示対象のディジタル画像に設定されているものを印刷媒体のサイズとして用いてもよい。「所定のサイズ」を印刷媒体のサイズに基づいて決定するようにすると、印刷した場合の画質により近い画質でディジタル画像を拡大表示できるので、印刷した場合の画質を印刷前により正確に把握できる。
【００２６】
上述した「所定のサイズ」を印刷媒体のサイズに基づいて決定するようにすると、ディジタル画像を変倍する倍率は、印刷媒体のサイズと元のディジタル画像のサイズとによって決まる。例えば前述したように印刷媒体のサイズが「Ｌ判」のとき縦横（１９２０、１２８０）が「所定のサイズ」として決定されるとする。この場合、図１に示すように元のディジタル画像の大きさが縦横（９６０，６４０）であるとすると、ディジタル画像は２倍に拡大されることになる。また、元のディジタル画像の大きさが縦横（２８８０、１９２０）であるとすると、元のディジタル画像は縦横２／３倍に縮小されることになる。また、元のディジタル画像の大きさが縦横（１９２０、１２８０）であるとすると、元のディジタル画像は拡大も縮小もされないことになる。すなわち、「変倍」とは、「拡大」、「縮小」および「拡大も縮小もしない」のいずれをも含んでいる。
【００２７】
所定のサイズに変倍されたディジタル画像は、次にＬＣＤ１５ａの表示領域に納まる大きさの複数の範囲に分割される。例えば変倍されたディジタル画像のサイズが図１に示すように縦横（１９２０、１２８０）であり、ＬＣＤ１５ａの表示領域のサイズが縦横（６４０，４８０）であるとすると、図示するようにディジタル画像はちょうどＬＣＤ１５ａの表示領域と同じ大きさの８つの範囲に分割される。
【００２８】
分割された各範囲はユーザによる操作に応じてＬＣＤ１５ａに順に表示される。これによりディジタル画像が拡大表示される。
この表示において、本実施例ではＥＸＩＦファイルから合焦点情報を取得してディジタル画像上の合焦点を特定し、合焦点が含まれている範囲を最初に表示する。ただし、ディジタル画像のファイル形式は常にＥＸＩＦファイルであるとは限らず、また、例えＥＸＩＦファイルであったとしても、必ずしも常に合焦点情報が含まれているとは限らない。そのため、本実施例では、合焦点情報がなかった場合はディジタル画像上の顔領域を特定し、顔領域を含んでいる範囲を最初に表示する。一般に人物を撮像したディジタル画像では人物の顔に焦点を合わせて撮像されている可能性が高い。すなわち、顔を表している領域（以下「顔領域」という）のどこかに合焦点がある可能性が高い。従って、顔領域が含まれている範囲を最初に表示することにより、合焦点が含まれている範囲を高い確率で最初に表示できる。顔領域の特定は、例えば顔のパターンでディジタル画像上を走査するパターマッチングによって特定してもよいし、顔領域を特定するための他の技術を用いて特定してもよい。顔領域を特定する技術は既に実用化されている公知の技術であるため、詳細な説明は省略する。
【００２９】
次に、拡大表示要求を受け付けたときのフォトビューワ１０の処理について説明する。本処理は例えば図２（Ａ）に示すように目的のディジタル画像のサムネイル画像がＬＣＤ１５ａに表示されている状態で操作部１６を操作して拡大表示要求を入力すると開始される
図４および図５は、拡大表示要求を受け付けたときのフォトビューワ１０の処理の流れを示すフローチャートである。
【００３０】
Ｓ１０５では、ＣＰＵ１１は拡大表示要求を受け付けたか否かを判定する。具体的には例えば、ＣＰＵ１１は拡大表示要求を受け付けるための所定の操作ボタンを一定時間間隔で監視し、当該操作ボタンが押下された場合はＳ１１０に進む。
Ｓ１１０では、ＣＰＵ１１は元のディジタル画像全体をＬＣＤ１５ａの表示領域に納まるサイズより大きい所定のサイズに変倍する。
【００３１】
Ｓ１１５では、ＣＰＵ１１は変倍したディジタル画像をＬＣＤ１５ａの表示領域に納まる複数の範囲に分割する。
Ｓ１２０では、ＣＰＵ１１はディジタル画像が格納されているファイルの形式がＥＸＩＦファイル形式であるかを判定する。ＣＰＵ１１はＥＸＩＦファイル形式であればＳ１２５に進み、それ以外であればＳ１３５に進む。
【００３２】
Ｓ１２５では、ＣＰＵ１１はＥＸＩＦファイルを検索して合焦点情報が格納されているかを判定する。ＣＰＵ１１は合焦点情報が格納されていればＳ１３０に進み、格納されていなければＳ１３５に進む。
Ｓ１３０では、ＣＰＵ１１は合焦点情報によって特定される合焦点が含まれている範囲を最初に表示する。例えば図１に示すように元のディジタル画像において合焦点の座標が（Ｘ，Ｙ）であり、元のディジタル画像が２倍に変倍されるとする。この場合、変倍されたディジタル画像において合焦点の座標は（２Ｘ，２Ｙ）と特定される。この場合、ＣＰＵ１１は変倍されたディジタル画像の座標（２Ｘ，２Ｙ）が含まれている範囲を最初に表示する。
【００３３】
Ｓ１３５では、ＣＰＵ１１は顔領域を特定する。具体的には例えば、ＣＰＵ１１は顔のパターンでディジタル画像上を走査するパターマッチングによって顔領域を特定する。ＣＰＵ１１は顔領域を特定できた場合はＳ１４０に進み、特定できなかった場合はＳ１４５に進む。
Ｓ１４０では、ＣＰＵ１１は顔領域が含まれている範囲を最初に表示する。
【００３４】
Ｓ１４５では、ＣＰＵ１１は予め設定されている所定の位置にある範囲を最初に表示する。具体的には例えば、左上の範囲を最初に表示する。
いずれかの範囲を最初に表示した後は、ＣＰＵ１１はユーザによる操作に応じて別の範囲を順に表示する。
【００３５】
以上説明した本発明の第１実施例に係るフォトビューワ１０によると、ディジタル画像が格納されているファイルに合焦点情報が格納されておらず、それにより合焦点を特定できなかったとしても、顔領域を特定できた場合は顔領域が含まれている範囲を最初に拡大表示することにより、合焦点が含まれている範囲を高い確率で最初に拡大表示できる。これにより、合焦状態を容易に確認できる。
【００３６】
また、フォトビューワ１０によると、合焦点が含まれている範囲を一操作で表示させることができるので、合焦状態の確認がより容易になる。
なお、本実施例では始めにディジタル画像全体を拡大し、拡大したディジタル画像の各範囲のうち合焦点が含まれている範囲を最初に拡大表示する場合を例に説明したが、始めにディジタル画像全体を拡大するのではなく、拡大前のディジタル画像上で表示対象の範囲を特定し、特定した範囲のみを拡大して最初に表示し、その後は別の範囲の表示が指示される度に表示対象の範囲を個別に拡大して表示してもいよい。
【００３７】
また、ここでは「所定のサイズ」を印刷媒体のサイズに基づいて決定する場合を例に説明したが、ユーザが「所定のサイズ」を直接指定してもよい。
また、ここではディジタル画像を変倍する倍率を印刷媒体のサイズと元のディジタル画像のサイズとに基づいて決定する場合を例に説明したが、例えば１倍、２倍、３倍などのようにユーザが倍率を直接指定してもよい。１倍を指定した場合はいずれのディジタル画像も各範囲がそのままのサイズ、すなわちフルサイズで表示されることになる。
【００３８】
ただし、ユーザが倍率を指定する場合は、指定された倍率によっては元のディジタル画像全体がＬＣＤ１５ａの表示領域に納まるサイズと等しいか又は小さいサイズに変倍される場合もある。その場合は変倍したディジタル画像を表示したとしてもその表示は本実施例でいうところの拡大表示には相当しない。
また、本実施例ではフォトビューワ１０を例に説明したが、イメージスキャナ、プリンタ、ファクシミリなどを一体に構成した所謂複合機であってディジタル画像を表示可能なディスプレイを備える複合機や、ディジタル画像を表示可能なディスプレイを備えるプリンタ、ＤＳＣなどに本発明を適用してもよい。
【００３９】
（第２実施例）
図６は、第２実施例に係る拡大表示の一例を示す模式図である。第２実施例では、拡大表示要求を受け付けると最初に元のディジタル画像全体をＬＣＤ１５ａの表示領域に納まるサイズより大きい所定のサイズに変倍し、変倍したディジタル画像において合焦点を中心とする範囲であって縦横のサイズがＬＣＤ１５ａの表示領域の縦横の画素数と等しい矩形の範囲を抽出し、抽出した範囲を最初に表示する。合焦点が特定できず、顔領域を特定できた場合は、顔領域の例えば中心や重心を中心とする範囲であって縦横のサイズがＬＣＤ１５ａの表示領域の縦横の画素数と等しい矩形の範囲を抽出して表示する。
【００４０】
第２実施例はその他の点において第１実施例と実質的に同一である。
以上説明した本発明の第２実施例によると、合焦点が含まれている範囲を合焦点を中心にして表示する、あるいは顔領域が含まれている範囲を顔領域の例えば中心や重心を中心にして表示するので、合焦状態を容易に確認できる。
なお、本発明は上記実施例に限定されるものではなく、その要旨を逸脱しない範囲で種々の実施形態に適用可能である。
【図面の簡単な説明】
【００４１】
【図１】本発明の一実施例に係る拡大表示の一例を示す模式図。
【図２】（Ａ）は本発明の一実施例に係る画像表示装置の模式図、（Ｂ）は画像表示装置のブロック図。
【図３】ＥＸＩＦファイルの構造を簡略化して示す模式図。
【図４】本発明の一実施例に係るフローチャート。
【図５】本発明の一実施例に係るフローチャート。
【図６】本発明の一実施例に係る拡大表示の一例を示す模式図。
【符号の説明】
【００４２】
１０  フォトビューワ（画像表示装置）、１１  ＣＰＵ（要求受付手段、合焦点特定手段、顔領域特定手段、拡大表示手段、取得手段、倍率指定手段）、１５  表示部（要求受付手段、拡大表示手段、取得手段、倍率指定手段）、１６  操作部（要求受付手段、取得手段、倍率指定手段）
【図１】
2007274269.tif 000003
【図２】
2007274269.tif 000004
【図３】
2007274269.tif 000005
【図４】
2007274269.tif 000006
【図５】
2007274269.tif 000007
【図６】
2007274269.tif 000008